(57)【特許請求の範囲】
【請求項１】
脚の膝頭の下側を弾性リング状に覆う口部リング部と、足首を弾性リング状に覆う足首リング部と、足の甲部分および土踏まず部分を弾性リング状に覆う土踏まずリング部と、口部リング部と足首リングとの間を脚の腓骨の外側を覆うように連結する外側弾性バンド部と、口部リング部と足首リング部との間を脚の腓骨の内側を覆うように連結する内側弾性バンド部と、足首リング部と土踏まずリング部との間を踝の外側を覆うように連結する外側弾性バンド部と、足首リング部と土踏まずリング部との間を踝の内側を覆うように連結する内側弾性バンド部とを具備し、足首リング部および土踏まずリング部は、ストレッチ糸またはゴム編み糸を用いたゴム編みで形成されていることを特徴とするソックス。
【請求項２】
各弾性バンド部は、ストレッチ糸を用いたゴム編みで形成されていることを特徴とする請求項１記載のソックス。
【発明の詳細な説明】
【０００１】
【発明の属する技術分野】
本発明は、着用者の足関節の運動安定性を向上させ、脚の運動に伴なう総合的な快適性を追求したソックスに関する。
【０００２】
【従来の技術】
従来、日常的に使用されているソックスは、カラーコーディネイト、材質の使い分け、編み組織の変化、あるいはシーズン別の厚さの使い分け等で商品化されており、また機能的には、防菌防臭、保温等の対策が施されるようになってきている。
【０００３】
【課題を解決するための手段】
前記従来のソックスにおいては、着用者の脚および足に装着することを基本的な目的にしているため、脚の運動に伴なう総合的な快適性は追求されてはおらず、脚の運動に伴なう疲労の軽減等の効果は全く期待できないという問題がある。
【０００４】
本発明は、かかる現況に鑑みなされたもので、脚の運動に伴なう疲労の軽減を図り、快適性を増進させることができるソックスを提供することを目的とする。
【０００５】
【課題を解決するための手段】
前記目的を達成するため、本発明によるソックスは、脚の膝頭の下側を弾性リング状に覆う口部リング部と、足首を弾性リング状に覆う足首リング部と、足の甲部分および土踏まず部分を弾性リング状に覆う土踏まずリング部と、口部リング部と足首リングとの間を脚の腓骨の外側を覆うように連結する外側弾性バンド部と、口部リング部と足首リング部との間を脚の腓骨の内側を覆うように連結する内側弾性バンド部と、足首リング部と土踏まずリング部との間を踝の外側を覆うように連結する外側弾性バンド部と、足首リング部と土踏まずリング部との間を踝の内側を覆うように連結する内側弾性バンド部とを具備し、足首リング部および土踏まずリング部をストレッチ糸またはゴム編み糸を用いたゴム編みで形成し、足関節の運動安定性を向上させ、脚の運動に伴なう疲労の軽減を図り、快適性を増進させることが可能となる。
【０００６】
【発明の実施の形態】
以下、本発明を図面を参照して説明する。
図１（ａ），（ｂ），（ｃ）および図２は、本発明の実施の一形態に係るソックス１を示すもので、このソックス１は、口部リング部２と、足首リング部３と、土踏まずリング部４と、口部リング部２と足首リング部３とを連結する外側弾性バンド部５および内側弾性バンド部６と、足首リング部３と土踏まずリング部４を連結する外側バンド部７および内側バンド部８と、ふくらはぎ覆い部９と、向こう脛覆い部１０と、踵覆い部１１と、足上面覆い部１２と、爪先覆い部１３とを備えている。
【０００７】
前記口部リング部２は、図１（ａ），（ｂ），（ｃ）および図２に示すように、着用者の脚の膝頭の下側を弾性リング状に覆うようになっている。口部リング部２は、例えば９０番手のゴム編み糸を用いたゴム編みで形成されている。この口部リング部２は、大腿直筋の停止する膝蓋靭帯付着部分の障害を起こし易い部分および大腿二頭筋腱の付着部分等を保護するようになっている。
【０００８】
また、前記足首リング部３は、図１（ａ），（ｂ），（ｃ）および図２に示すように、着用者の足首を弾性リング状に覆うようになっている。この足首リング部３は、例えばストレッチナイロン１００％、５０デニール２本を引き揃え、４本で１本の糸にしたストレッチ糸を用い、このストレッチ糸をゴム編みして形成されている。なお、この足首リング部３は、場合によって例えば９０番手のゴム編み糸を用いたゴム編みにより形成されることもある。この足首リング部３により、上伸筋支帯部分がサポートされ、足部のホールド機能を促して、脚の運動を安定させるようになっている。
【０００９】
また、前記土踏まずリング部４は、図１（ａ），（ｂ），（ｃ）および図２に示すように、足の甲部分および土踏まず部分を弾性リング状に覆うようになっている。この土踏まずリング部４は、例えば５０デニールのストレッチナイロン１００％糸を２本を引き揃え、４本で１本の糸にしたストレッチ糸を用い、このストレッチ糸をゴム編みして形成されている。なお、この土踏まずリング部４も、前記足首バンド部３と同様、場合によって例えば９０番手のゴム編み糸を用いたゴム編みにより形成されることもある。そして、この土踏まずリング部４により、下伸筋支帯部分がサポートされ、足指のホールド性を安定的に強めることができるようになっている。
【００１０】
また、前記外側弾性バンド部５は、図１（ａ），（ｂ），（ｃ）および図２に示すように、口部リング部２と足首リング部３との間を連結して、脚の脛骨の外側を覆うようになっている。また、前記内側弾性バンド部６は、口部リング部２と足首リング部３との間を連結して脚の脛骨の内側を覆うようになっている。
【００１１】
外側弾性バンド部５および内側弾性バンド部６は、例えば５０デニールのストレッチナイロン１００％糸を２本を引き揃え、４本で１本の糸にしたストレッチ糸を用い、このストレッチ糸をゴム編みして形成されている。そして、外側弾性バンド部５および内側弾性バンド部６は，脚を両側から押さえることにより、ふくらはぎ覆い部９と向こう脛覆い部１０との分割区画を安定させ、ソックス１全体の機能を充分に発揮させることができるようになっている。
【００１２】
また、前記外側弾性バンド部７は、図１（ａ），（ｂ），（ｃ）および図２に示すように、前記足首リング部３と土踏まずリング部４との間を連結して、踝の外側を覆うようになっている。また、前記内側弾性バンド部８は、前記足首リング部３と土踏まずリング部４との間を連結して、踝の内側を覆うようになっている。
【００１３】
外側弾性バンド部７および内側弾性バンド部８は、例えば５０デニールのストレッチナイロン１００％の糸を２本を引き揃え、４本で１本の糸にしたストレッチ糸を用い、このストレッチ糸をゴム編みして形成されている。そして、外側弾性バンド部７および内側弾性バンド部８は、ソックス１着用時における足首リング部３および土踏まずリング部４のサポート位置を安定させることができるとともに、踝を両側から保護することができるようになっている。
【００１４】
また、前記ふくらはぎ覆い部９は、図１（ａ），（ｂ），（ｃ）および図２に示すように、口部リング部２、足首リング部３、外側弾性バンド部５および内側弾性バンド部６で囲まれた領域に配設されている。このふくらはぎ覆い部９は、例えば３５番手の遠赤外線繊維糸を２本用い、これを平編みあるいはパイル編みして形成されている。そして、このふくらはぎ覆い部９からの温熱刺激により筋疲労を軽減させることができるようになっている。
【００１５】
また、前記向こう脛覆い部１０は、図１（ａ），（ｂ），（ｃ）および図２に示すように、口部リング部２、足首リング部３、外側弾性バンド部５および内側弾性バンド部６で囲まれた領域に配設されている。
【００１６】
また、前記踵覆い部１１は、図１（ａ），（ｂ），（ｃ）および図２に示すように、足首リング部３、土踏まずリング部４、外側弾性バンド部７および内側弾性バンド部８で囲まれた領域に配設されている。
【００１７】
また、前記足上面覆い部１２は、図１（ａ），（ｂ），（ｃ）および図２に示すように、足首リング部３、土踏まずリング部４、外側弾性バンド部７および内側弾性バンド部８で囲まれた領域に配設されている。
【００１８】
さらに、前記爪先覆い部１３は、図１（ａ），（ｂ），（ｃ）および図２に示すように、土踏まずリング部４の前方に連結されて爪先部分を覆うようになっている。
【００１９】
前記向こう脛覆い部１０、踵覆い部１１、足上面覆い部１２および爪先覆い部１３は、１９デニールのポリエステルやアクリル糸を１本使い、これを平編みして形成される。
【００２０】
図３は、人体の下腿の構造と本実施の形態に係るソックス１との関係を示すもので、筋構造を実線で示すとともに、ソックス１の各機構を破線で示したものである。
【００２１】
人体の下腿の構造は、図３に示すように、内側の脛骨、外側の腓骨を境にして、前下腿筋群（脛骨筋、腓骨筋）と、後下腿筋群（腓骨筋、ヒラメ筋）とに前後方向に分けられている。これら両筋群は、拮抗的関係にあってバランスをとり合い、人体の直立状態の持続に大きく関係している。
【００２２】
本実施の形態に係るソックス１は、図３に破線で示す部分を機能分割の根拠とし、外側弾性バンド部５および内側弾性バンド部６を伸縮性に富んだ構造とするとともに、外側弾性バンド部７および内側弾性バンド部８を伸縮性に富んだ構造としている。
【００２３】
図３からも明らかなように、前下腿筋群および後下腿筋群は、足首近傍で腱に変化し、やがて前下腿筋群は足背の伸筋腱として走行し、後下腿筋群は踵部にアキレス腱として走行する。これらの腱は、上伸筋支帯および下伸筋支帯という強靭な腱膜のバンドで束ねられ、足部および指に運動が集中できる仕組みとなっている。
【００２４】
本実施の形態に係るソックス１は、図１（ａ），（ｂ），（ｃ）に示すように、足首および土踏まずの部分に、ハイパワーストレッチ編みの弾性リング部３，４を配置し、適度に補強して代替え機能を果すようにしている。
【００２５】
前記外側弾性バンド部５および内側弾性バンド部６は、縦方向のハイパワーストレッチ編みで形成され、これらは足首リング部３を経由し、さらに外側弾性バンド部７および内側弾性バンド部８を介して土踏まずリング部４に連なるサポート機構を構成している。
【００２６】
また、上伸筋支帯部分を、足首リング部３でサポートすることにより、足関節の運動を安定的に促進させることができる。
【００２７】
また、下伸筋支帯部分を、土踏まずリング部４でサポートすることにより、足指のホールド性を安定的に強めることができる。
【００２８】
【発明の効果】
以上説明したように、本発明によれば、足首リング部および土踏まずリング部のサポート位置を安定させることにより、足関節の運動安定性を向上させることができ、脚の運動に伴なう疲労の軽減を図り、快適性を増進させることができる。
【図面の簡単な説明】
【図１】  （ａ）は本発明の実施の一形態に係るソックスの着用時の状態を示す正面図、（ｂ）は同様の側面図、（ｃ）は同様の背面図である。
【図２】  図１のソックスの拡大図である。
【図３】  下腿の構造とソックスとの関係を示す説明図である。
【符号の説明】
１  ソックス
２  口部リング部
３  足首リング部
４  土踏まずリング部
５  外側弾性バンド部
６  内側弾性バンド部
７  外側弾性バンド部
８  内側弾性バンド部
【図１】
0003877845.tif 000002
【図２】
0003877845.tif 000003
【図３】
0003877845.tif 000004